(57)【要約】　　　（修正有）【課題】構造が簡単で確実に開閉することができるドアの遠隔ロック装置を提供する。【解決手段】ドアに設けてロック開閉発信ボタン及び電波発信口を有するリモコン手元機構と、リモコン手元機構から発信される開閉電波を受信するロック部本体と、ロック部本体が受信した開閉電波によって動作するモータ本体と、このモータ本体を介して開閉するロック部とを具える。ロック部の不正開放動作によりロック部が傾斜することにより互いに接触する＋磁石板及び−磁石板と、接触を感知して動作する防犯ベル又はパトライトを設ける。【選択図】　　図１
0003099335.tif 000002
【実用新案登録請求の範囲】
【請求項１】
図２リモコン手元機構本体に設けられた電止７電入８・ボタン電池・有無・確認灯５・ボタン電池・収納口２・クサリ付根３・ロック開閉・発信ボタン６・デンパ発信口９・で構成した、ドアの遠隔ロック装置。
【請求項２】
図３デンパ誘導管装置・直径２０ミリ本体１２に請求項１において前記デンパ発信口９より発信されることで電入１５・電止１６・発信１７・配線・連結盤１３を通し・（１５）（１６）（１７）同時作動する。ボタン電池有無・確認灯２３・ボタン電池１９・デンパ発信固定台１４で構成したデンパ誘導管装置、
【請求項３】
図４ロック部本体に図２リモコン手元機構本体よりデンパが発信されると図３デンパ誘導管装置を通しロック部本体３１で受信するとモータ本体３８に伝わり各所が作動しロック部５２開閉自由ロック部が開きになると。モータ・ポッチ３７も上がり同時に３６が上がることでオルゴル装置が作動しオルゴルが鳴る仕組み、デンパ受信口電源止４９・電源入３１・デンハ発信口３０・５０磁石板＋４２・＋４３・磁石板−４４４・ボタン電池の有無・確認灯３２・多用型機能で構成したドアの遠隔ロック装置、
【請求項４】
請求項３において、前記ロック部５２が閉めになってるのに外より無理にこじ開けるとロック部５２が斜めに成ると磁石板＋４３に磁石板−４４が付くことによって発信口５０より防犯ベル装置６１に着信と同時に防犯ベル５５が鳴る又はパトライト５５が作動する、電源止・受信口５８・ボタン電池・有無・確認灯５７・防犯ベル及びパトライト本体・中・装置５６、防犯ベル及びパトライト本体５５で構成した、防犯ベル及びパトライト装置、
【考案の詳細な説明】
【０００１】
【産業上の利用分野】
本考案は、ドア内鍵専用鍵穴無し、ドアから離れた奥の奥の部屋からでも玄関ロック開閉自由、各個所に利用豊富、防犯ベル及びパトライトで安心ドアの遠隔ロック装置に関する。
【０００２】
【従来の技術】
従来、オートロック装置としてドアから離れた室内で装置の押しボタンをＯＮ−ＯＦＦ操作し、ドアのロックを開閉するものが知られている。このオートロック装置は、その駆動機構にモータ等を使用すると共に内部に制御装置を設けていた。
【０００３】
【考案が解決しようとする課題】
ところがこのようなオートロック装置は、構造が複雑で高値にならざるを得ないと共に、ロック状態で電源故障等が生じると遠隔操作を開けることができない等の不都合があった。そこで本考案は、構造が簡単で電源故障の無い安全な配線無しのデンパ式確認灯付のドアの遠隔ロック装置を提供することを目的とし、その目的達成のために次の構成をとる。
【０００４】
【課題を解決するための手段】
本考案のドアの遠隔ロック装置は、（操作部）リモコン手元機構本体図２に対しデンパ誘導管装置図３を部屋内の間仕切りに設けることで図４へデンパ移動でき、ロック部本体５２開閉自由の部分が外よりドアを無理にバアル難かで開けようとするとロック体５２が斜めに成ることによって４３磁石板＋に、４４磁石板−が付くと同時に発信口５０よりデンパ発信により６１で受信し５６装置で受け止め５５の防犯ベルが鳴る要うに各所をデンパで結んだ一体化で構成したものである、
【０００５】
【実施例】
次に、図面に基づいて本考案のドアの遠隔ロック装置一実施例につき説明する、図１は本ロック装置の全体図の説明図であり、図２はリモコン手元機構、図３デンパ誘導管装置、図４斜視図・同立面図の説明図である、図５立面図防犯ベル装置又はパトライト、全関係を示す説明図である、
この実施例のドアの遠隔ロック装置は、図２リモコン手元機構に示す如く、デンパ誘導管装置図３を部屋と玄関の間に間仕切り壁難かが有る場合はデンパ誘導管装置図３を例えば壁だつたら直径２０ミリの開口に取り付け玄関ドアにセツトしてるロック部本体図４に正面向けもしくは横向け取り付けでもデンパ発信・固定台・丁番２３により方向がきめられることでロック部本体５２開閉自由、
【０００６】
ロック本体・ベース部２８をビス５４により柱やサッシ枠に固定される。５３は５２のロック部受け４１は防犯ベル又はパトライト磁石板配線＋４５は防犯ベル又はパトライト磁石板配線−、４０は水平ロック部、５１は伸縮自在な適接長さに設定しその設定長さをビス等により固定し得る。３８はロック本体中芯部モータ本体。４６はモータ本体。３５は各所より受信・発信・配線集中連結盤。３３はボタン電池。３４はボタン電池＋−。３２の確認灯は灯が薄くなるとボタン電池の入れ替えることに寄って機能が止まること無しで安心して利用できるボタン電池の有無・確認灯。２７はロック部ベースを取り付け柱。２６はドア枠サッシ５０は５８防犯ベル又はパトライトに対し発信口より発信されることで５８受信口でデンパを受けとめ５９配線・連結盤を通し、
【０００７】
５６防犯ベル・本体・中・装置に着信すると同時に防犯ベルが鳴る仕組み、５５は防犯ベル又はパトライト、５７はボタン電池の有無・確認灯６０は防犯ベル又はパトライト装置カバ、６１電源・入り・受信口、６２はボタン電池＋−、６３はボタン電池、ロック部本体図４のロック部はドアに応じて右か左かに変更される、また、この実施例では図４ロック本体を玄関とか勝手口及び居間の横引きサッシにも配置も可能、現在サッシのガラスにビニルを張ると強化ガラスに変化しても居間の横引きサッシ枠合わせ部分に気休めロックが付いていても、サッシ枠合わせ部分にバルを入れると簡単に崩れる事、ドアの遠隔ロック装置は合わせ部分にバルを入れることに寄って図４の４０が斜めになることで防犯ベル又はパトライトが鳴る、光る、
【０００８】
【考案の効果】
本考案のドアの遠隔ロック装置は図２リモコン手元機構と図４ロック部本体の間だに間仕切り壁が一個所又は二個所合っても図３を一個所だったら一個、二個所だったら二個取り付けることで、奥の部屋に居ても、お祖父ちゃんお祖母ちゃん、とくに腰痛等で体の不自由な人でも安心して留守番ができること、心配だったらドアの外から連絡するインターホンに寄って家族であることの確認をしたときには、開閉自由、内鍵・専用。ドアの外側には鍵穴無し外よりドアを無理に開けようとすると、図４の４０が斜めになることで目が見えない人はベルが鳴る。耳が聞こえ無い人はパトライトが光るので安心でき、なお家の横とか後ろとか不安な場所にドアの遠隔ロック装置を取り付けることで安心、
【図面の簡単な説明】
【図１】本発明の遠隔ロック装置・
【全　体　図】説明図
【図２】同リモコン手元機構・平面図・断面図・説明図
【図３】同デンパ誘導管装置・平面図・断面図・説明図
【図４】同ロック本体・斜視図・立面図・説明図
【図５】同防犯ベル及びパトライト・立面図・説明図
【符号の説明】
１　リモコン手元機構
２　ボタン電池収納口
３　クサリ付根
４　ボタン電池収納口・蓋
５　ボタン電池の有無・確認灯
６　ロック開閉・発信ボタン
７　電源止め
８　電源入り
９　デンパで発信口
１０　中管装置の外枠
１１　中管装置の外枠・半円形
１２　円形型・受信・発信・デンパ誘導管装置・直径２０ミリ本体
１３　配線・連結盤
１４　デンパ発信固定台
（１５）１５　電源入り
（１６）１６　電源止め
（１７）１７　デンパ受信
１８　ボタン電池・＋−
１９　ボタン電池・固定所
２０　デンパ配線
２１　デンパ発信固定足
２２　部屋内・間仕切り壁
２３　デンパ発信・固定台・丁番
２４　ボタン電池の有無・確認灯
２５　配線・連結盤
２６　ドア枠
２７　母屋の立柱
２８　ロック本体・ベス部
２９　ロック本体・カバ
３０　防犯ベル発信口
３１　デンパ受信口・電源入
３２　ボタン電池の有無・確認灯
３３　ボタン電池
３４　ボタン電池・＋−
３５　配線・連結盤
３６　上り下がり・ポッチ
３７　上り下がりモータ・ポッチ
３８　モータ・本体
３９　モータ・本体・中・上下・芯棒
４０　水平ロック部
４１　防犯ベル及びパトライト磁石板・配線・＋
４２　磁石板・＋
４３　磁石板・＋
４４　磁石板・−
４５　防犯ベル及びパトライト磁石板・配線・−
４６　モータ本体・ビス止め
４７　オルゴル装置
４８　オルゴル機
４９　デンパ受信口・電源止め
５０　防犯ベル及びパトライトに発信口
５１　ロック体・継手ビス
５２　ロック部
５３　ロック部・受け
５４　ロック体ベス部・柱止めビス
５５　防犯ベル・又はパトライト
５６　防犯ベル・本体・中・装置
５７　ボタン電池の有無・確認灯
５８　電源止め・受信口
５９　配線・連結盤
６０　防犯ベル又はパトライト装置カバ
６１　電源・入り・受信口
６２　ボタン電池＋−
６３　ボタン電池
【図１】
0003099335.tif 000003
【図２】
0003099335.tif 000004
【図３】
0003099335.tif 000005
【図４】
0003099335.tif 000006
【図５】
0003099335.tif 000007
【手続補正書】
【提出日】平成15年7月30日(2003.7.30)
【手続補正１】
【補正対象書類名】明細書
【補正対象項目名】全文
【補正方法】変更
【補正の内容】
【実用新案登録請求の範囲】
【請求項１】リモコン手元機構（１）と、ドアに設けて前記リモコン手元機構から発信される開閉電波を受信するロック部本体（２８）と、前記ロック部本体（２８）が受信した開閉電波によって動作するモータ本体（３８）と、このモータ本体（３８）を介して開閉するロック部（５２）とを具えたことを特徴とするドアの遠隔ロック装置。
【請求項２】ロック部（５２）の不正開放動作によりロック部（５２）が傾斜することにより互いに接触する＋磁石板（４２）及び−磁石板（４４）と、前記＋及び−の磁石板の接触を感知して動作する防犯ベル又はパトライト（５５）を設けた請求項１記載のドアの遠隔ロック装置。
【請求項３】リモコン手元機構（１）と前記ロック部本体（２８）との間に電波誘導管装置（１２）を設けた請求項１又は２記載のドアの遠隔ロック装置。
【請求項４】モータ本体（３８）によるロック部（５２）の開放動作により作動するオルゴール装置（４８）を設けた請求項１乃至３のうちのいずれか一項に記載のドアの遠隔ロック装置。
【考案の詳細な説明】
【０００１】
【産業上の利用分野】
本考案は、鍵を手動で操作するための鍵穴がなく、ドアから離れた奥の奥の部屋からでも玄関ロックを開閉自在にするドアの遠隔ロック装置に関するものである。
【０００２】
【従来の技術】
従来、オートロック装置としてドアから離れた室内で装置の押しボタンをオン−オフ操作し、ドアのロックを開閉するものが知られている。このオートロック装置は、その駆動機構にモータ等を使用するとともに内部に制御装置を設けていた。
【０００３】
【考案が解決しようとする課題】
しかし、このようなオートロック装置は、構造が複雑で高値にならざるを得ないと共に、ロック状態で電源故障等が生ずると遠隔操作を開けることができない等の不都合があった。従って、本考案の目的は、構造が簡単で電源故障のない安全な、配線なしの電波式確認灯付きのドアの遠隔ロック装置を得るにある。
【０００４】
この目的を達成するため、本考案ドアの遠隔ロック装置は、ドアに設けてロック開閉発信ボタン及び電波発信口を有するリモコン手元機構と、前記リモコン手元機構から発信される開閉電波を受信するロック部本体と、前記ロック部本体が受信した開閉電波によって動作するモータ本体と、このモータ本体を介して開閉するロック部とを具えたことを特徴とする。
【０００５】
本考案の好適な実施例においては、ロック部の不正開放動作によりロック部が傾斜することにより互いに接触する＋磁石板及び−磁石板と、前記＋及び−の磁石板の接触を感知して動作する防犯ベル又はパトライトを設ける。本考案の他の実施例においては、リモコン手元機構の電波発信口と前記ロック部本体との間に電波誘導管装置を設ける。更に、本考案の他の好適な実施例においては、モータ本体によるロック部の開放動作により作動するオルゴール装置を設ける。
【０００６】
【考案の実施の形態】
次に、図面につき本考案の好適な実施の形態を説明する。
【０００７】
本考案による好適な実施の形態におけるドアの遠隔ロック装置は、図１に示すリモコン手元機構１のロック開閉発信ボタン６を操作することにより電波発信口９から発信される開閉電波を、図２に示す例えば、玄関のドア（サッシ）に隣接する母屋の立柱２７にセットしたロック部本体２８の電波受信口３１により受信する。ロック部本体２８は、受信した開閉電波に基づいてモータ本体３８を動作してロック部本体２８に設けたロック部５２を、ドア（サッシ）枠２６に設けたロック部受け５３に対して開閉移動させる。好適には、モータ本体３８によるロック部５２の通常開放動作により作動するオルゴール装置４８を設ける。
【０００８】
しかし、ロック部５２が閉状態になっているとき、外部から無理にこじ開けようとする不正解錠に対する対策として、本考案の好適な実施例においては、通常は互いに接触しない状態に対向配置させる＋磁石板４２及び−磁石板４４をロック部本体２８とロック部５２との間に設ける。ロック部５２の不正開放動作によってロック部５２が傾斜することにより＋及び−の磁石板４２，４４が互いに接触する。この接触により生じた通電状態を、ロック部本体２８に設けた防犯ベル及びパトライト発信口５０から、図３に示す防犯ベル及びパトライト５５の受信口５８に向けて発信し、オルゴールの音色とは異なる音と光の警報を発っして非常事態を知らせる。
【０００９】
本考案の好適な実施例によれば、リモコン手元機構１とロック部本体２８との間に間仕切り壁２２等があって電波を送受信しにくい場合、例えば、間仕切り壁２２に、図４に示す電波誘導管装置１２を設ける。この電波誘導管装置１２は、受信口１７及び発信口（１７）と、電源入りボタン１５及び（１５）と、電源切りボタン１６及び（１６）とを有する。
【００１０】
【考案の効果】
本考案ドアの遠隔ロック装置によれば、配線による遠隔操作ではなく電波操作でロック部を開閉するため、配線故障でロックの開閉ができなくなるという不都合を回避できる。また腰痛等で歩行が不自由な人でも、ドアまで行く必要なくロックを開閉できる。
【００１１】
更に、防犯ベル及びパトライトを設ける実施例では、ドアをこじ開けようとする不正解錠に対してはベルの音及びパトライトの光を発生することができるので、目が見えない人でも、また耳が聞こえない人でも非常事態に気付くことができるようになる。更に、電波誘導管装置を設けた実施例では、間仕切り壁等があっても、リモコン手元機構とロック部本体との間での送受信ができ、動作が確実になる。
【図面の簡単な説明】
【図１】本考案によるドアの遠隔ロック装置のリモコン手元機構の説明図であり、（ａ
【図２】同断面図である。
【図３】本考案によるドアの遠隔ロック装置におけるロック部本体の説明図である。
【図４】本考案によるドアの遠隔ロック装置における防犯ベル及びパトライトの説明図である。
【図５】本考案によるドアの遠隔ロック装置における電波誘導管装置の説明図である。
【符号の説明】
１　リモコン手元機構
２　ボタン電池収納口
３　クサリ付根
４　ボタン電池の収納口の蓋
５　ボタン電池の有無確認確認灯
６　ロック開閉発信ボタン
７　電源切りボタン
８　電源入りボタン
９　電波発信口
１０　電波誘導管装置の受信口側外枠
１１　電波誘導管装置の発信口側外枠
１２　電波誘導管装置
１４　電波発信固定台
１５，（１５）電源入りボタン
１６，（１６）電源切りボタン
１７　電波受信口
（１７）電波発信口
１８　ボタン電池
１９　ボタン電池固定所
２１　電波発信固定足
２２　間仕切り壁
２３　ヒンジ付き電波発信固定台
２４　ボタン電池の有無確認灯
２６　ドア（サッシ）枠
２７　母屋の立柱
２８　ロック本体部
２９　ロック本体部カバー
３０　防犯ベル発信口
３１　電波受信口兼電源入りボタン
３２　ボタン電池の有無確認灯
３３　ボタン電池
３４　ボタン電池
３８　モータ本体
４０　水平ロック部
４１　＋側磁石板の配線
４２　＋側磁石板
４４　−側磁石板
４５　−側磁石板の配線
４６　モータハウジング
４８　オルゴール装置
４９　電波受信口兼電源切りボタン
５０　防犯ベル及びパトライトへの発信口
５１　ロック体
５２　ロック部
５３　ロック部受け
５５　防犯ベル及びパトライト
５７　ボタン電池有無確認灯
５８　受信口兼電源切りボタン
５９　配線連結盤
６０　防犯ベル及びパトライトのカバー
６１　受信口兼電源入りボタン
６２　ボタン電池


【手続補正２】
【補正対象書類名】図面
【補正対象項目名】全図
【補正方法】変更
【補正の内容】
【図１】
0003099335.tif 000008
【図２】
0003099335.tif 000009
【図３】
0003099335.tif 000010
【図４】
0003099335.tif 000011
【図５】
0003099335.tif 000012